(57)【要約】【課題】テレビ１０に接続されている携帯電話機におけるアプリケーションの表示を制御する。【解決手段】携帯電話機の制御部１０８は、第１のアプリケーションを実行するプロセス３１０と、第２のアプリケーションを実行するプロセス３２０とを含む。携帯電話機が第１のアプリケーションを実行している場合に、割り込みを受けて第２のアプリケーションを実行すると、制御部１０８は、第１のアプリケーションに基づく映像をテレビ１０に出力し、第２のアプリケーションに基づく映像を、携帯電話機の有する表示部１０６に出力する。【選択図】図４
2013026942.tif 000002
【特許請求の範囲】
【請求項１】
表示装置に接続可能な携帯端末であって、
前記表示装置と通信するための通信部と、
アプリケーションを実行するための第１の制御部と、
アプリケーションを実行するための第２の制御部と、
映像を表示するための表示部とを備え、
前記第１の制御部は、第１のアプリケーションの実行に基づく映像を表示するための第１の信号を、前記表示装置および前記表示部の少なくともいずれかに出力し、
前記第１のアプリケーションと異なる第２のアプリケーションを実行する命令に基づいて、前記第１の制御部は、前記第１の信号の出力先を、前記表示装置および前記表示部の少なくともいずれかから、前記表示装置に切り替え、
前記第２の制御部は、前記第２のアプリケーションの実行に基づく映像を表示するための第２の信号を、前記表示部に出力する、携帯端末。
【請求項２】
前記通信部が、前記表示装置を制御するためのリモコン端末の操作に基づく制御信号を、前記表示装置から受信すると、前記第１の制御部は、前記制御信号に基づいて、前記表示装置に対する信号の出力を制御する、請求項１に記載の携帯端末。
【請求項３】
前記携帯端末に対する操作入力を受け付けるための入力手段をさらに備え、
前記第２の制御部が前記第２のアプリケーションを実行していないとき、前記第１の制御部が、前記操作入力を受け付け、
前記第２の制御部が前記第２のアプリケーションを実行しているとき、前記第２の制御部が、前記操作入力を受け付ける、請求項１または２に記載の携帯端末。
【請求項４】
前記第２のアプリケーションを実行する命令は、電話の着信、メールの受信、アラームの動作、タイマーの動作の少なくともいずれかを含む、請求項１から３のいずれかに記載の携帯端末。
【請求項５】
表示装置に接続可能な携帯端末を制御するためのプログラムであって、前記携帯端末はモニタを備えており、前記プログラムは、前記携帯端末に、
第１のアプリケーションの実行に基づく映像を表示するための第１の信号を、前記表示装置および前記モニタの少なくともいずれかに出力するステップと、
前記第１のアプリケーションと異なる第２のアプリケーションを実行する命令に基づいて、前記第１の信号の出力先を、前記表示装置および前記モニタの少なくともいずれかから、前記表示装置に切り替えるステップと、
前記第２のアプリケーションの実行に基づく映像を表示するための第２の信号を、前記モニタに出力するステップとを実行させる、プログラム。
【発明の詳細な説明】
【技術分野】
【０００１】
本発明は、携帯端末の制御に関し、より特定的には、携帯端末での複数のアプリケーションの制御、および、携帯端末と通信可能な表示装置の制御に関する。
【背景技術】
【０００２】
昨今、携帯端末と家電製品とを連携する機能が可能になってきている。特に、家庭用テレビやディスプレイ等の表示装置との連携機能が向上し、ＨＤＭＩ（High-Definition  Multimedia  Interface）技術等によって、携帯電話機をテレビに接続し、多人数による動画や画像の観賞、ブラウザに表示される情報の共有、その他の場面が増えている。
【０００３】
携帯電話機とテレビとの連携に関し、たとえば、特開２００８−２３６７４９号公報（特許文献１）は、携帯電話機とデジタルテレビとを連携させて、表示画面のサイズに制限のある携帯電話機を、画面サイズの大きいデジタルテレビで補完する構成とすることにより、表示画面サイズの問題を解消するための技術を開示している。
【０００４】
従来、携帯端末に内蔵されるモニタに出力される映像をそのままテレビその他の外部の表示装置に出力することは可能であるが、電話の着信、メールの受信、アラームまたはタイマーその他の割り込みが有ったときには、割り込みは外部の表示装置にも表示される場合がある。
【０００５】
このような場合において、割り込みに関するアプリケーションが起動されて、ユーザがそのアプリケーションを操作しようとすると、外部の表示装置（たとえば、HDMI端子を有するテレビ）の操作装置（リモコン端末）への操作が、そのアプリケーションに適用される場合がある。そのため、ユーザが、割り込みに関するアプリケーションを携帯端末に内蔵された操作装置（たとえば、テンキー、ソフトウェアキー）で操作している間は、当該割り込みのためにバックグラウンド処理に回された、外部の表示装置に表示されているアプリケーションを、その表示装置（テレビ）の操作装置（リモコン端末）で操作できない場合がある。
【先行技術文献】
【特許文献】
【０００６】
【特許文献１】特開２００８−２３６７４９号公報
【発明の概要】
【発明が解決しようとする課題】
【０００７】
上述の従来の技術によると、割り込みに対する対応、たとえば、受信されたメールの確認、タイマー・アラームの停止、メールの返信を行う場合、外部の表示装置に出力するべきでない内容も出力されて、表示装置が表示することになる。そのため、携帯端末のユーザは、一度、携帯端末と表示装置との接続を終了する必要があり、そのため、利便性が妨げられていた。
【０００８】
本発明では、上述のような問題点を解決するためになされたものであって、その目的は、外部の表示装置に接続されている携帯端末への割り込み時においても利便性が向上する携帯端末を提供することである。
【０００９】
他の目的は、外部の表示装置に接続されている携帯端末への割り込み時においても利便性が向上するように携帯端末を制御するためのプログラムを提供することである。
【課題を解決するための手段】
【００１０】
一実施の形態にしたがうと、表示装置に接続可能な携帯端末が提供される。この携帯端末は、表示装置と通信するための通信部と、アプリケーションを実行するための第１の制御部と、アプリケーションを実行するための第２の制御部と、映像を表示するための表示部とを備える。第１の制御部は、第１のアプリケーションの実行に基づく映像を表示するための第１の信号を、表示装置および表示部の少なくともいずれかに出力する。第１のアプリケーションと異なる第２のアプリケーションを実行する命令に基づいて、第１の制御部は、第１の信号の出力先を、表示装置および表示部の少なくともいずれかから、表示装置に切り替える。第２の制御部は、第２のアプリケーションの実行に基づく映像を表示するための第２の信号を、表示部に出力する。
【００１１】
好ましくは、通信部が、表示装置を制御するためのリモコン端末の操作に基づく制御信号を、表示装置から受信すると、第１の制御部は、制御信号に基づいて、表示装置に対する信号の出力を制御する。
【００１２】
好ましくは、携帯端末は、当該携帯端末に対する操作入力を受け付けるための入力手段をさらに備える。第２の制御部が第２のアプリケーションを実行していないとき、第１の制御部が、操作入力を受け付ける。第２の制御部が第２のアプリケーションを実行しているとき、第２の制御部が、操作入力を受け付ける。
【００１３】
好ましくは、第２のアプリケーションを実行する命令は、電話の着信、メールの受信、アラームの動作、タイマーの動作の少なくともいずれかを含む。
【００１４】
他の実施の形態にしたがうと、表示装置に接続可能な携帯端末を制御するためのプログラムが提供される。携帯端末はモニタを備えている。プログラムは、携帯端末に、第１のアプリケーションの実行に基づく映像を表示するための第１の信号を、表示装置およびモニタの少なくともいずれかに出力するステップと、第１のアプリケーションと異なる第２のアプリケーションを実行する命令に基づいて、第１の信号の出力先を、表示装置およびモニタの少なくともいずれかから、表示装置に切り替えるステップと、第２のアプリケーションの実行に基づく映像を表示するための第２の信号を、モニタに出力するステップとを実行させる。
【発明の効果】
【００１５】
ある局面において、携帯端末が表示装置に接続されている場合に、割り込み時に携帯端末から表示装置に出力されていたコンテンツの表示（アプリケーション動作）を継続しつつ、携帯端末の表示部のみで割り込みに対する操作を可能にすることができる。
【００１６】
他の局面に従う一実施の形態によると、携帯端末が有する表示部、および携帯端末に接続された外部の表示装置において、それぞれ別個のアプリケーションが動作し、コンテンツを表示することができる。したがって、外部の表示装置と携帯端末との接続を止めることなく、携帯端末への割り込みに対して応答することができる。
【００１７】
この発明の上記および他の目的、特徴、局面および利点は、添付の図面と関連して理解されるこの発明に関する次の詳細な説明から明らかとなるであろう。
【図面の簡単な説明】
【００１８】
【図１】携帯端末の一態様である携帯電話機１００とテレビ１０とが接続されている状態を表わす図である。
【図２】携帯電話機１００によって実現される機能の構成を表わすブロック図である。
【図３】携帯電話機１００が第１のアプリケーションを実行している場合における携帯電話機１００とテレビ１０との信号の流れを表わす図である。
【図４】携帯電話機１００に対して割り込みが発生した後における信号の流れを表わす図である。
【図５】携帯電話機１００のハードウェア構成を表わすブロック図である。
【図６】携帯電話機１００のＣＰＵ５１０が実行する一連の処理の一部を表わすフローチャートである。
【図７】テレビ１０と携帯電話機１００とが表示する画面の推移を表わす図である。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
［使用態様］
図１を参照して、本発明の実施の形態に係る携帯端末と外部の表示装置の使用態様について説明する。図１は、携帯端末の一態様である携帯電話機１００とテレビ１０とが接続されている状態を表わす図である。携帯電話機１００とテレビ１０とは、ＨＤＭＩ（High-Definition  Multimedia  Interface）ケーブルによって接続されている。
【００２１】
なお、携帯端末の具体例は、携帯電話機１００に限られず、スマートフォン、タブレット型コンピュータその他の通信機能を有する端末であって、テレビその他の外部の表示装置に接続可能であり、かつ、当該表示装置との間で制御信号を通信できる端末であればよい。外部の表示装置の具体例は、テレビ１０に限られず、モニタ、コンピュータその他の表示装置であって、携帯端末と通信可能な端末であればよい。
【００２２】
［機能構成］
図２を参照して、本発明の実施の形態に係る携帯電話機１００の機能的構成について説明する。図２は、携帯電話機１００によって実現される機能の構成を表わすブロック図である。携帯電話機１００は、アンテナ１０１と、無線通信部１０２と、音声処理部１０３と、外部接続インターフェイス部１０４と、操作部１０５と、表示部１０６と、データ処理部１０７と、制御部１０８と、電源部１０９と、記憶部１１０とを備える。
【００２３】
無線通信部１０２は、アンテナ１０１を介して通話または通信のための信号の送受信を行なう。通信は、たとえば、電子メールの送受信、または、ショートメッセージの送受信を含む。また、ある局面において、無線通信部１０２は、地震速報その他の緊急通報のためにブロードキャスト送信された信号を受信することもできる。
【００２４】
音声処理部１０３は、無線通信部１０２から送られる信号について予め規定された処理を実行し、処理後のデータを制御部１０８に送出する。また、音声処理部１０３は、制御部１０８から送られるデータについて予め定められた処理を実行し、処理後の信号を無線通信部１０２に送信する。
【００２５】
外部接続インターフェイス部１０４は、ＨＤＭＩケーブル１その他の通信ケーブルの接続を受け付けて、当該通信ケーブルに接続される電子機器と携帯電話機１００との通信を制御する。電子機器は、テレビ、モニタ装置、コンピュータその他の映像を表示する機能を有する装置を含む。
【００２６】
操作部１０５は、携帯電話機１００に対する命令の入力を受け付け、その入力に応じた信号を制御部１０８に送信する。ある局面において、操作部１０５は、テンキーその他のボタン、表示部１０６に表示されるソフトウェアキーその他のスイッチとして実現される。
【００２７】
表示部１０６は、記憶部１１０に格納されているデータに基づいて、制御部１０８の制御に従い、文字、画像、ソフトウェアキーなどを表示する。
【００２８】
データ処理部１０７は、制御部１０８からの命令に基づき、記憶部１１０に格納されているデータに対して予め定められた処理を実行し、処理後のデータを制御部１０８に送出する。
【００２９】
制御部１０８は、携帯電話機１００の各機能を実現するために予め定められた処理を実行する。ある局面において、データ処理部１０７と制御部１０８とは、ＣＰＵ（Central  Processing  Unit）その他の演算処理装置として実現される。この場合、制御部１０８は、各処理を実現するためにプログラムされた命令を演算処理装置のようなハードウェアが実行することにより実現される。他の局面において、制御部１０８は、各処理を実現するために構成された回路の組み合わせとしても実現され得る。また、制御部１０８を実現する演算処理装置は、一つに限られず、２つ以上の演算処理装置が制御部１０８を構成するものであってもよい。
【００３０】
電源部１０９は、携帯電話機１００を作動させるための電力を供給する。ある局面において、電源部１０９は、リチウムイオン電池その他の充電可能な二次電池として実現される。
【００３１】
記憶部１１０は、携帯電話機１００に予め格納されたデータ、携帯電話機１００が外部から取得したデータ、制御部１０８によって生成されたデータなどを格納する。ある局面において、記憶部１１０は、フラッシュメモリ、着脱可能なメモリカードその他のデータ記憶媒体として実現される。
【００３２】
ある局面において、制御部１０８は、第１のプロセスとして、第１のアプリケーションの実行に基づく映像を表示するための第１の信号を、表示部１０６およびテレビ１０の少なくともいずれかに出力する。また、制御部１０８は、第１のアプリケーションと異なる第２のアプリケーションを実行する命令に基づいて、第１のプロセスとして、当該第１の信号の出力先を、テレビ１０および表示部１０６の少なくともいずれかから、テレビ１０に切り替える。また、制御部１０８は、第２のプロセスとして、第２のアプリケーションの実行に基づく映像を表示するための第２の信号を、表示部１０６に出力する。
【００３３】
ある局面において、外部接続インターフェイス部１０４が、テレビ１０を制御するためのリモコン端末（図示しない）の操作に基づく制御信号を、テレビ１０から受信すると、制御部１０８は、その制御信号に基づいて、テレビ１０に対する信号の出力を制御する。
【００３４】
他の局面において、制御部１０８が第２のプロセスとして第２のアプリケーションを実行していないとき、第１のプロセスは、操作部１０５を介して携帯電話機１００に与えられる操作入力を受け付ける。一方、制御部１０８が第２のプロセスとして第２のアプリケーションを実行しているとき、制御部１０８は、当該第２のプロセスは、操作部１０５を介して携帯電話機１００に与えられる操作入力を受け付ける。
【００３５】
第２のアプリケーションを実行する命令は、電話の着信、メールの受信、アラームの動作、タイマーの動作の少なくともいずれかを含む。
【００３６】
［技術思想］
図３および図４を参照して、本発明の実施の形態に係る携帯電話機１００についての技術思想について説明する。図３は、携帯電話機１００が第１のアプリケーションを実行している場合における携帯電話機１００とテレビ１０との信号の流れを表わす図である。
【００３７】
携帯電話機１００のユーザが操作部１０５に対して第１のアプリケーションを実行するためのキー入力を行なうと、制御部１０８は、プロセス３１０としてその第１のアプリケーションを実行する。携帯電話機１００とテレビ１０とがＨＤＭＩケーブル１によって接続されているとき、第１のアプリケーションに基づく映像は、携帯電話機１００の表示部１０６に表示されるとともに、テレビ１０に表示される。
【００３８】
このとき、テレビ１０の視聴者が、テレビ１０のリモコン端末（図示しない）を用いてテレビ１０に対する操作を行なうと、その操作に基づく信号は、キー入力としてテレビ１０から携帯電話機１００の制御部１０８に送られる。たとえば、テレビ１０のユーザが携帯電話機１００によって再生されている動画を終了し、あるいは早送りするためのキー入力操作をリモコン端末を用いて行なうと、制御部１０８は、プロセス３１０において実行している第１のアプリケーションについて、その再生速度を速める処理、再生を中止する処理、その他の処理を実行する。
【００３９】
図４は、携帯電話機１００に対して割り込みが発生した後における信号の流れを表わす図である。ここで、「割り込み」とは、たとえば電話の着信、メールの受信、アラームの鳴動、ＧＰＳ（Global  Positioning  System）機能を用いた位置情報の取得または通知の開始、いわゆるワンセグ放送その他のテレビジョン放送の予約録画の開始、ラジオ放送の受信の開始または録音などをいう。
【００４０】
たとえば、携帯電話機１００が電子メールを着信する着信を検知すると、制御部１０８は、第１のアプリケーションを実行するためのプロセス３１０に加えて、プロセス３２０を起動し、電子メールの閲覧のための第２のアプリケーションを起動する。この起動は、割り込みに応答する操作、割り込みに関連する操作に基づいて行なわれる。このような操作は、たとえば、操作部１０５に対する電子メールの閲覧を指示するためのキー入力、電話の着信に応答するための操作、アラームを停止するための操作等を含む。たとえば、メールを閲覧する指示が携帯電話機１００に与えられると、制御部１０８は、そのような入力に基づき、受信した電子メールの内容を示す映像を表示部１０６に表示させる。
【００４１】
一方、携帯電話機１００が電子メールを受信する前に実行していた第１のアプリケーションについては、制御部１０８は、プロセス３１０としてそのまま、第１のアプリケーションの実行を継続する。このとき、テレビ１０のユーザがリモコン端末を用いて第１のアプリケーションに対するキー入力操作を行なうと、携帯電話機１００の制御部１０８は、そのキー入力操作に応答して、指示された処理（たとえば、再生中のアプリケーションの再生停止、早送りなど）を実行し、その実行に応じた映像をテレビ１０に出力する。このときの映像は、携帯電話機１００が有する表示部１０６には出力されない。
【００４２】
［ハードウェア構成］
図５を参照して、本実施の形態に係る携帯電話機１００のハードウェア構成について説明する。図５は、携帯電話機１００のハードウェア構成を表わすブロック図である。携帯電話機１００は、主たる構成要素として、通信装置５０２と、チューナ５０４と、アンテナ５０６，５０８と、ＣＰＵ（Central  Processing  Unit）５１０と、測位処理部５１２と、測位信号受信フロントエンド部５１４と、ＧＰＳ（Global  Positioning  System）アンテナ５１６と、カメラ５２０と、フラッシュメモリ５４４と、ＲＡＭ（Random  Access  Memory）５４６と、ＲＯＭ（Read  Only  Memory）５４８と、モニタ５５０と、音声信号処理回路５１１と、ＬＥＤ（Light  Emitting  Diode）５７６と、メモリカード駆動装置５８０と、データ通信Ｉ／Ｆ（Interface）５７８と、バイブレータ５８４とを備える。メモリカード駆動装置５８０には、メモリカード５８２が装着され得る。
【００４３】
アンテナ５０６は、ワンセグ放送信号その他の放送信号を受信する。チューナ５０４は、ＣＰＵ５１０の命令に従ってチャンネルを選局し、映像信号および音声信号をＣＰＵ５１０に伝送する。
【００４４】
アンテナ５０８によって受信された信号は、通信装置５０２によってフロントエンド処理が行なわれる。処理後の信号は、ＣＰＵ５１０に送られる。
【００４５】
ＣＰＵ５１０は、携帯電話機１００に対して与えられる命令に基づいて携帯電話機１００の動作を制御するための処理を実行する。ＣＰＵ５１０は、通信装置５０２から送られた信号に基づいて予め規定された処理を実行し、処理後の信号を音声信号処理回路５１１に送出する。
【００４６】
音声信号処理回路５１１は、その信号に対して予め規定された信号処理を実行し、処理後の信号をスピーカ５４０に送出する。スピーカ５４０は、その信号に基づいて音声を出力する。
【００４７】
カメラ５２０は、ＣＯＭＳ（Complementary  Metal-Oxide  Semiconductor）素子またはＣＣＤ（Charge Coupled Device）その他の撮像素子によって実現される。カメラ５２０は、スイッチ５６０に対する入力に応じて撮影し、撮影後の画像をＲＡＭ５４６、フラッシュメモリ５４４、メモリカード５８２に格納する。
【００４８】
モニタ５５０は、液晶モニタ、有機ＥＬ（Electro  Luminescence）モニタ等として実現される。モニタ５５０は、ＣＰＵ５１０から取得されるデータに基づいて、当該データによって規定される画像を表示する。たとえば、フラッシュメモリ５４４が格納している静止画、動画、音楽ファイルの属性（当該ファイルの名前、演奏者、演奏時間など）を表示する。
【００４９】
スイッチ５６０は、携帯電話機１００に対する命令の入力を受け付ける。スイッチ５６０は、テンキーその他の物理的なボタン、モニタ５５０に表示されるソフトウェアキーとして実現される。
【００５０】
マイク５７０は、携帯電話機１００に対する発話を受け付けて、発話された音声に対応する信号を音声信号処理回路５１１に対して送出する。音声信号処理回路５１１は、その信号に基づいて通話のために予め規定された処理を実行し、処理後の信号をＣＰＵ５１０に対して送出する。ＣＰＵ５１０は、その信号を送信用のデータに変換し、変換後のデータを通信装置５０２に対して送出する。通信装置５０２は、そのデータを用いて送信用の信号を生成し、アンテナ５０８に向けてその信号を送出する。
【００５１】
フラッシュメモリ５４４は、ＣＰＵ５１０から送られるデータを格納する。また、ＣＰＵ５１０は、フラッシュメモリ５４４に格納されているデータを読み出し、そのデータを用いて予め規定された処理を実行する。
【００５２】
ＲＡＭ５４６は、スイッチ５６０に対して行なわれた操作に基づいてＣＰＵ５１０によって生成されるデータを一時的に保持する。ＲＯＭ５４８は、携帯電話機１００に予め定められた動作を実行させるためのプログラムあるいはデータを格納している。ＣＰＵ５１０は、ＲＯＭ５４８から当該プログラムまたはデータを読み出し、携帯電話機１００の動作を制御する。
【００５３】
メモリカード駆動装置５８０は、メモリカード５８２に格納されているデータを読み出し、ＣＰＵ５１０に送出する。逆にメモリカード駆動装置５８０は、ＣＰＵ５１０によって出力されるデータを、メモリカード５８２の空き領域に書き込む。
【００５４】
ＬＥＤ５７６は、ＣＰＵ５１０からの信号に基づいて、予め定められた発光動作を実現する。データ通信Ｉ／Ｆ５７８は、データ通信用のケーブルの装着を受け付ける。データ通信Ｉ／Ｆ５７８は、ＣＰＵ５１０から出力される信号を当該ケーブルに対して送出する。あるいは、データ通信Ｉ／Ｆ５７８は、当該ケーブルを介して受信されるデータを、ＣＰＵ５１０に対して送出する。
【００５５】
バイブレータ５８４は、ＣＰＵ５１０から出力される信号に基づいて、予め定められた周波数で発振動作を実行する。
【００５６】
ＧＰＳアンテナ５１６は、ＧＰＳ衛星から発信される信号を受信し、受信した信号を測位信号受信フロントエンド部５１４に送出する。測位信号受信フロントエンド部５１４は、少なくとも３つ（望ましくは４つ以上）のＧＳＰ衛星から受信した各信号に基づいてパターンマッチングを行ない、各信号に含まれるコードパターンと携帯電話機１００が保持するコードパターンとが一致した場合に、その信号を測位処理部５１２に送出する。
【００５７】
測位処理部５１２は、その信号を用いて、測位処理を実行し、当該信号を受信した携帯電話機１００の位置を算出する。ＣＰＵ５１０は、その算出結果をディスプレイ１５０に表示する。
【００５８】
［制御構造］
図６を参照して、本発明の実施の形態に係る携帯電話機１００の制御構造について説明する。図６は、携帯電話機１００のＣＰＵ５１０が実行する一連の処理の一部を表わすフローチャートである。
【００５９】
ステップＳ６１０にて、ＣＰＵ５１０は、データ通信Ｉ／Ｆ５７８からの信号に基づいて、ＨＤＭＩケーブル１を介して携帯電話機１００がテレビ１０に接続されたことを検知する。
【００６０】
ステップＳ６１５にて、ＣＰＵ５１０は、当該接続の検知に応答して、携帯電話機１００とテレビ１０との通信経路を確立する。
【００６１】
ステップＳ６２０にて、ＣＰＵ５１０は、フラッシュメモリ５４４から映像データを読み出す。この映像データの読み出しは、たとえば、スイッチ５６０に対して与えられる映像の再生指示の入力に基づいて行なわれる。
【００６２】
ステップＳ６２５にて、ＣＰＵ５１０は、モニタ５５０に映像を表示するとともに、データ通信Ｉ／Ｆ５７８を介して映像を表示するための映像信号をテレビ１０に送信する。
【００６３】
ステップＳ６３０にて、ＣＰＵ５１０は、通信装置５０２から送られる信号に基づいて電話を着信したことを検知する。
【００６４】
ステップＳ６３５にて、ＣＰＵ５１０は、映像信号をテレビ１０に送信しつつ、電話の着信を通知するための映像をモニタ５５０に表示する。
【００６５】
ステップＳ６４０にて、ＣＰＵ５１０は、映像信号をテレビ１０に送信しつつ、スイッチ５６０に対する操作に基づき着信に応答する。
【００６６】
ステップＳ６４５にて、ＣＰＵ５１０は、テレビ１０のリモコン端末（図示しない）の操作に基づき、テレビ１０に表示されている映像を切り換えるための命令を、テレビ１０から受信したことを検知する。
【００６７】
ステップＳ６５０にて、ＣＰＵ５１０は、受信した命令に基づき、現在読み出されている映像データに割り当てられている番号の次の番号が割り当てられている映像データを、フラッシュメモリ５４４から新たに読み出す。
【００６８】
ステップＳ６５５にて、ＣＰＵ５１０は、新たに読み出した映像データに基づき映像を表示するための信号をテレビ１０に送信する。これにより、当初再生されていた映像データの次の映像データが再生される。
【００６９】
上記のような処理により、携帯電話機１００は、外部から割り込みを受けると、その割り込みに応じた画像をモニタ５５０に表示するとともに、それまでテレビ１０に出力していた映像データをそのまま出力し続ける。
【００７０】
［表示態様］
図７を参照して、本発明の実施の形態に係る携帯電話機１００における画面の表示態様について説明する。図７は、テレビ１０と携帯電話機１００とが表示する画面の推移を表わす図である。
【００７１】
状態（Ａ）において、携帯電話機１００と、ＨＤＭＩケーブル１を介して携帯電話機１００に接続されているテレビ１０とは、同じ映像を表示している。その後、状態（Ｂ）に示されるように、携帯電話機１００が電話の着信を受けると、携帯電話機１００は、モニタ５５０における表示を、出力していた映像から電話の着信を通知する画面に切り換える。一方、携帯電話機１００は、テレビ１０に対する映像の出力をそのまま継続するため、携帯電話機１００によって表示される映像とテレビ１０によって表示される映像とは異なる。これにより、携帯電話機１００のユーザは、テレビ１０に着信を表示することなく、着信に応答することができる。
【００７２】
以上のようにして、本発明の実施の形態によると外部表示装置として携帯電話機１００に接続されたテレビ１０に映像を出力している時にメールの着信、返信、アラーム鳴動によるスケジュールの確認などの割り込みが発生した場合、携帯電話機１００は、当該割り込みで起動されたアプリケーションをテレビ１０に出力することなく携帯電話機１００のモニタのみに、アプリケーションに基づく画像を表示する。これにより、携帯電話機１００のセキュリティを保護することができる。
【００７３】
また、割り込みに基づくアプリケーションが開始したとき、そのとき既に実行されていた他のアプリケーションによるテレビ１０への映像の出力、スイッチ５６０その他によるキー入力操作を許容している。そのため、テレビ１０の映像を見ているユーザの作業を一旦終了させるなどの必要がなく、ユーザビリティが向上する。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７５】
本発明は、携帯電話機、スマートフォン、タブレット型コンピュータその他の情報処理端末であって、テレビその他の映像表示装置と通信可能な端末に適用可能である。
【符号の説明】
【００７６】
１  ケーブル、１０  テレビ、１００  携帯電話機、１０１，５０６，５０８，５１６  アンテナ、１０２  無線通信部、１０３  音声処理部、１０４  外部接続インターフェイス部、１０５  操作部、１０６  表示部、１０７  データ処理部、１０８  制御部、１０９  電源部、１１０  記憶部、１５０  ディスプレイ、３１０，３２０  プロセス、５０２  通信装置、５０４  チューナ、５１１  音声信号処理回路、５１２  測位処理部、５１４  測位信号受信フロントエンド部、５２０  カメラ、５４０  スピーカ、５４４  フラッシュメモリ、５４６  ＲＡＭ、５４８  ＲＯＭ、５５０  モニタ、５６０  スイッチ、５７０  マイク、５７８  データ通信Ｉ／Ｆ、５８０  メモリカード駆動装置、５８２  メモリカード、５８４  バイブレータ。
【図１】
2013026942.tif 000003
【図２】
2013026942.tif 000004
【図３】
2013026942.tif 000005
【図４】
2013026942.tif 000006
【図５】
2013026942.tif 000007
【図６】
2013026942.tif 000008
【図７】
2013026942.tif 000009